(57)【要約】【課題】  従来の型鋼材を構成材とした耐震振れ止め設備は、特注品で、製作に高いコストと、無駄な時間を費やしていた。また、他の方法として、汎用性の高い全ネジシャフトの吊り支持材と、全ネジシャフトのブレス材で構成する耐震振れ止め設備では、圧縮応力を受ける支持材が全ネジシャフトで耐座屈性能に乏しく、十分な耐震性能が確保できなかった。【解決手段】  本発明は、汎用性が高く調達性の良い全ネジシャフトの吊り支持材と、全ネジシャフトのブレス材で構成する耐震振れ止め設備で、全ネジシャフトの吊り支持材に汎用性が高く調達性の良い鋼管をさやとして組み合わせる事で、圧縮応力を耐座屈性能のよい鋼管に配分し、引っ張り応力側に全ネジシャフトを用いて、圧縮応力と引っ張り応力を適材に有効に配分する耐震振れ止め設備とする事ができる。【選択図】図１
2016118370.tif 000002
【特許請求の範囲】
【請求項１】
建築物の天井内に設ける空調機、配管に設ける耐震振れ止め設備において、全ネジシャフトの吊り支持材と、全ネジシャフトのブレス材で構成される耐震振れ止め設備において全ネジシャフトの吊り支持材に鋼管をさやとして組み合わせる事で、圧縮応力を耐座屈性能のよい鋼管に配力し、引っ張り応力側に全ネジシャフトを用いることで、圧縮応力と引っ張り応力を適材に有効に配分する耐震振れ止め設備。
【発明の詳細な説明】
【技術分野】
【０００１】  本発明は、鋼管を併用した吊り支持材で構成した、耐震振れ止め設備に関する。
【背景技術】
【０００２】  建築物の天井内に設ける空調機、配管に設ける従来の耐震振れ止め設備では、全ネジシャフトとナットで構成される吊り支持材と、全ネジシャフトとナットで構成されるブレス材で構成する耐震振れ止め設備がある。（例えば、非特許文献１および非特許文献２参照）また、建築物の天井内に設ける空調機、配管に設ける従来の耐震振れ止め設備では、型鋼材を構成材とした耐震振れ止め設備がある。（例えば、特許文献３および非特許文献３および非特許文献４参照）
【先行技術文献】
【特許文献】
【０００３】
【特許文献１】  特許公開２０１４−２１４７８８  公報
【特許文献２】  特許公開２０１２−８７８６０    公報
【特許文献３】  特許公開２００２−３６４９１１  公報
【非特許文献】
【０００４】
【非特許文献１】「ネグロス電工株式会社  電路支持材総合カタログ」，総合カタログ，空調・衛生配管資材ウィンラック掲載版，２０１３／１４Ａ，ｐ．１３６
【非特許文献２】「因幡電工株式会社  ２０１４総合カタログ」，因幡電工事業部２０１４年度版総合カタログ，ｐ．８−２７
【非特許文献３】「社団法人  公共建築協会  公共建築設備工事標準図」，公共建築設備工事標準図（機械設備工事）平成２２年版，ｐ．１１４，ｐ．１１５
【非特許文献４】「財団法人  日本建築センター  建築設備耐震設計・施工指針」，建築設備耐震設計・施工指針（２００５年版），ｐ．２４４，ｐ．２４５
【発明の概要】
【発明が解決しようとする課題】
【０００５】  以上に述べた従来の耐震振れ止め設備において、型鋼材を構成材とした耐震振れ止め設備では、それぞれ寸法の異なる工場生産の振れ止め設備又は現場製作の型鋼材を構成材とした耐震振れ止め設備を使用しているが、それ等は、汎用性に乏しく、特注品であり、製作に高いコストと、無駄な時間を費やしていた。
又、他の方法として、汎用性の高い全ネジシャフトとナットで構成される吊り支持材と全ネジシャフトとナットで構成されるブレス材で構成する耐震振れ止め設備では、圧縮応力を受ける支持材が全ネジシャフトであるので、耐座屈性能に乏しく、十分な耐震性能が確保できなかった。【０００６】  以上述べた従来の生産効率が悪い構成をせず、汎用性の高い材料で、寸法対応性がよく簡単に調達できる材料で、現場加工性に適した材料を使用した耐震振れ止め設備で、溶接等の高度な加工を要せず、十分な耐震性能に対応できる耐震振れ止め設備の供給をを目的とするものである。【０００７】  本発明は、このような従来の構成が有していた問題を解決しようとするものであり、汎用性の高い全ネジシャフトとナットで構成される吊り支持材６と、全ネジシャフトとナットで構成されるブレス材５で構成する耐震振れ止め設備で、全ネジシャフトとナットで構成される吊り支持材６の圧縮応力を受ける部分に鋼管３をさやとして組み合わせる事で、圧縮応力を耐座屈性能のよい鋼管３に配分し、ブレス側に引っ張り応力の強い全ネジシャフトとナットで構成されるブレス材５を用いる事で、圧縮応力と引っ張り応力を適材に有効に配分する耐震振れ止め設備である。
【発明の効果】
【０００８】  上述したように本発明の耐震振れ止め設備は、汎用性が高くて、簡単に調達できる材料で構成でき、現場での作業性がよく、低コストで、短時間で製作でき、溶接作業等の難易な作業や高度な品質管理を要せず、均一な品質の耐震振れ止め設備を確保できるものである。
【図面の簡単な説明】
【０００９】
【図１】本発明の実施形態を示す空調機の耐震振れ止設備の組み合わせの立体図
【図２】本発明の実施形態を示す空調機の耐震振れ止設備の組み合わせの側面図
【図３】図２、図６、図７のＡの部分の拡大図
【図４】応力配分合成部品の図
【図５】ブレス材のボルトの引き止部品の図
【図６】本発明の実施形態を示す配管の耐震振れ止設備の組み合わせ図
【図７】本発明の実施形態を示す空調機の耐震振れ止設備の２段の時の組み合わせ図
【図８】図７のＢの部分の拡大図
【図９】応力配分合成部品の１Ｂの図
【図１０】図２、図３、図６、図７、図８のＣ−Ｃ断面図
【発明を実施するための形態】
【０００１０】  以下、本発明の実施の形態を図１〜図１０に基づいて説明する。
【０００１１】  図においては、１又は、１Ｂは、引っ張り応力と圧縮応力を配分合成する応力配分合成部品で、２又は２Ｂは、引っ張り応力を応力配分合成部品に伝えるためのブレス材のボルトの引き止部品で、１又は、１Ｂの応力配分合成部品にネジ止めして使用する。
【０００１２】  ３又は３Ｂは、全ネジシャフトとナットで構成される吊り支持材６の圧縮応力を受ける部分に鋼管をさやとして組み合わせた部分で、地震時の水平応力を５の全ネジシャフトとナットで構成されるブレス材と相まって上方向の応力として、耐震振れ止設備を取り付ける建築物の天井等の躯体４に圧縮応力として伝える。
【０００１３】  ５は、全ネジシャフトとナットで構成されるブレス材で、地震時の水平応力を１又は、１Ｂの応力配分合成部品に引っ張り力として伝える。６は、全ネジシャフトとナットで構成される吊り支持材である。
【０００１４】  ７は、空調機、８は、配管等の固定の型鋼材、９は、天井内等に設ける配管等である。
１０は、建築物の躯体等に設けるインサート支持材で、１１は、応力配分合成部品どうしを緊結する全ネジシャフトとナットで構成されるのボルトで、１２の鋼管をさやとして組み合わせて引っ張り応力と、圧縮応力を分担する。
【０００１５】  １３は配管を固定する金物である。
【符号の説明】
【０００１６】１  引っ張り応力と圧縮応力を配分合成する応力配分合成部品
２  引っ張り応力を応力配分合成部品に伝えるためのブレス材のボルトの引き止部品
３  全ネジシャフトの吊り支持材の圧縮応力を受ける部分に鋼管をさやとした部分
５  全ネジシャフトのブレス材
【図１】
2016118370.tif 000003
【図２】
2016118370.tif 000004
【図３】
2016118370.tif 000005
【図４】
2016118370.tif 000006
【図５】
2016118370.tif 000007
【図６】
2016118370.tif 000008
【図７】
2016118370.tif 000009
【図８】
2016118370.tif 000010
【図９】
2016118370.tif 000011
【図１０】
2016118370.tif 000012